(57)【特許請求の範囲】
【請求項１】
カラーファクシミリ通信が可能な画像通信装置において、
インチ系をベースにした解像度でカラーファクシミリ画信号を送信する送信手段と；
カラーファクシミリ通信を実行している場合、インチ系をベースにした解像度でカラーファクシミリ画信号を送信する旨を、プロトコルによって、相手機に通知する通知手段と；
を有し、
上記通知手段は、ミリ系をベースにした解像度での受信を望んでいることを相手機が通知しても、インチ系をベースにした解像度で通信することをプロトコルで通知し、インチ系をベースにした解像度による画信号を送信することを特徴とする画像通信装置。
【請求項２】
請求項１において、
上記相手機は、ＤＩＳ信号のＦＩＦの４４ビットを０にし、ＤＩＳ信号のＦＩＦの４５ビットを１にすることによって、ミリ系をベースにした解像度での受信を望んでいることを通知することを特徴とする画像通信装置。
【請求項３】
請求項１において、
上記インチ系をベースにした解像度による画信号を送信する際、主走査が２００ｄｐｉ、副走査が２００ｄｐｉの解像度、または、主走査が２００ｄｐｉ、副走査が１００ｄｐｉの解像度でカラーファクシミリ画信号を送信することを特徴とする画像通信装置。
【請求項４】
請求項１〜請求項３のいずれか１項において、
上記画像通信装置は、ファクシミリ装置であることを特徴とする画像通信装置。
【発明の詳細な説明】
【０００１】
【発明の属する技術分野】
本発明は、ファクシミリ装置等の画像通信装置に係り、特に、カラー通信可能な画像通信装置に関する。
【０００２】
【従来の技術】
ＩＴＵ−ＴのＴ．８１、Ｔ．４２に基づく従来のカラーファクシミリ送信機において、送信ファクシミリ情報の解像度としては、デフォルトのものとして、主走査方向が２００ｄｐｉ、副走査方向が２００ｄｐｉで送信するファクシミリ装置が多い。
【０００３】
【発明が解決しようとする課題】
しかし、上記従来例では、主走査方向が２００ｄｐｉ、副走査方向が２００ｄｐｉで送信しているにもかかわらず、ＤＣＳ信号のＦＩＦの４４ビットを０として、ミリ系をベースにした解像度で通信している。このために、ファクシミリ勧告上は主走査方向が２００ｄｐｉ、副走査方向が２００ｄｐｉの送信、または主走査方向が８ｐｅｌ／ｍｍ、副走査方向が７．７ｌｉｎｅ／ｍｍの送信も等価として扱っているので、問題は発生しないが、受信機側でミリ系をベースにしたファクシミリカラー画信号として処理すると、受信画像の劣化も含め、好ましくないという問題がある。
【０００４】
この問題は、画像通信機能を有するパソコン等の他の画像通信装置においても、発生する問題である。
【０００５】
本発明は、たとえば、主走査方向が２００ｄｐｉ、副走査方向が２００ｄｐｉで送信している場合、受信画像の劣化が生じない画像通信装置を提供することを目的とするものである。
【０００６】
【課題を解決するための手段】
本発明は、カラーファクシミリ通信が可能な画像通信装置において、インチ系をベースにした解像度でカラーファクシミリ画信号を送信する送信手段と、カラーファクシミリ通信を実行している場合、インチ系をベースにした解像度でカラーファクシミリ画信号を送信する旨を、プロトコルによって、相手機に通知する通知手段とを有し、上記通知手段は、ミリ系をベースにした解像度での受信を望んでいることを相手機が通知しても、インチ系をベースにした解像度で通信することをプロトコルで通知し、インチ系をベースにした解像度による画信号を送信することを特徴とする画像通信装置である。
【０００７】
【発明の実施の形態および実施例】
［第１の実施例］
図１は、本発明の一実施例であるファクシミリ装置ＦＳ1を示すブロック図である。
【０００８】
ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）したり、電話回線２ａをファクシミリ装置側に接続（ＣＭＬオン）するものである。なお、通常状態では、電話回線２ａは電話機４側に接続されている。
【０００９】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調および復調を行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１１】
発呼回路１０は、バス２６からの信号によって、電話番号情報を入力し、信号線１０ａにＤＴＭＦの選択信号を出力する。
【００１２】
加算回路１２は、信号線８ａの情報と信号線１０ａの情報を入力し、加算した結果を信号線１２ａに出力する。
【００１３】
読取回路１４は、読取データをバス２６に出力する。
【００１４】
記録回路１６は、バス２６に出力されている情報を、順次１ライン毎に記録する。
【００１５】
メモリ回路１８は、ワーク用のメモリ（ＲＡＭ）、さらに読取データの生情報または符号化した情報を格納したり、また、受信情報または復号化した情報等をバス２６を介して格納するために使用する。
【００１６】
操作部２０は、ワンタッチダイヤル、短縮ダイヤル、テンキー、＊キー、＃キー、スタートキー、ストップキー、セットキー、カラー通信選択キー、その他ファンクションキーがあり、押下されたキー情報はバス２６に出力される。操作部２０には表示部があり、バス２６に出力されている情報を入力し、表示する。
【００１７】
ＣＰＵ（中央処理装置）２２は、ファクシミリ装置全体の制御を実行したり、ファクシミリ伝送制御手順を実行するが、この制御プログラムはＲＯＭ２４に格納される。
【００１８】
ＲＯＭ２４は、制御プログラムを格納し、この制御プログラムは、カラーファクシミリ通信可能なファクシミリ装置において、インチ系をベースにした解像度でカラーファクシミリ画信号を送信する送信手段を有し、カラーファクシミリ通信実行時に、インチ系をベースにした解像度でカラーファクシミリ画信号を送信する旨をプロトコルで相手機に通知する制御プログラムである。ここで、主走査が２００ｄｐｉ、副走査が２００ｄｐｉの解像度でカラーファクシミリ画信号を送信する場合、ＤＣＳ信号のＦＩＦの４４ビットを１としてインチ系をベースにした解像度で通信することを相手機に通知する。
【００１９】
図２、図３、図４は、上記実施例における制御動作を示すフローチャートである。
【００２０】
Ｓ２では、バス２６を介してメモリ１８をイニシャライズし、Ｓ４では、バス２６を介して、操作部の表示部をクリアし、Ｓ６では、バス２６を介して、ＮＣＵ２のＣＭＬをオフし、Ｓ８では、バス２６を介して、操作部２０の情報を入力し、カラーファクシミリ送信が選択されたか否かが判断され、カラーファクシミリ送信が選択されると、ステップＳ１２に進み、カラーファクシミリ送信が選択されていないと、ステップＳ１０に進み、その他の処理を実行する。
【００２１】
Ｓ１２では、バス２６を介して、ＮＣＵ２のＣＭＬをオンし、ここで、主走査方向が２００ｄｐｉ、副走査方向が２００ｄｐｉの解像度によるカラーファクシミリ送信が選択されたものとする。
【００２２】
Ｓ１４では、バス２６を介して、発呼回路１０を使用して指定された宛先へ発呼し、Ｓ１６では、前手順を実行し、ここで、ＤＩＳ信号のＦＩＦの１５、４４、４５ビットの情報を受信し、記憶する。
【００２３】
Ｓ１８では、ＤＩＳ信号のＦＩＦの１５ビットが「１」か否か、すなわち受信機は主走査方向が２００ｄｐｉ、副走査方向が２００ｄｐｉによる解像度であるか、または主走査方向が８ｐｅｌ／ｍｍ、副走査方向が７．７ｌｉｎｅ／ｍｍによる解像度の受信能力があるか否かが判断され、ＤＩＳ信号のＦＩＦの１５ビットが「１」であれば、ステップＳ２０に進み、ＤＩＳ信号のＦＩＦの１５ビットが「１」でないならば、ステップＳ３０に進む。
【００２４】
Ｓ２０では、ＤＩＳ信号のＦＩＦの４４、４５ビットをチェックし、受信機がインチ系優先の画信号の受信を望んでいる（４４ビット＝１、４５ビット＝０）か否かが判断され、受信機がインチ系優先の画信号の受信を望んでいるならば、ステップＳ２２に進み、受信機がミリ系優先の画信号の受信を望んでいる（４４ビット＝０、４５ビット＝１）ならば、ステップＳ２８に進む。
【００２５】
Ｓ２２では、ＴＳＩ／ＤＣＳ信号の送信と、残りの前手順とを実行し、ここで、ＤＣＳ信号のＦＩＦの１５ビットを「１」にし、主走査方向が２００ｄｐｉ、副走査方向が２００ｄｐｉ、または主走査方向が８ｐｅｌ／ｍｍ、副走査方向が７．７ｌｉｎｅ／ｍｍであることを通知し、さらに、ＤＣＳ信号のＦＩＦの４４ビットを「１」にし、インチ系を優先した画信号の送信を指定する。また、ＤＣＳ信号のＦＩＦの６８、６９ビットを「１」にし、カラー通信を指定する。
【００２６】
Ｓ２４では、主走査方向が２００ｄｐｉ、副走査方向が２００ｄｐｉによる解像度でカラーファクシミリ画信号を送信し、Ｓ２６では、後手順を実行し、Ｓ２８では、ＴＳＩ／ＤＣＳ信号の送信と残りの前手順とを実行し、ここで、ＤＣＳ信号のＦＩＦの１５ビットを「１」にし、主走査方向が２００ｄｐｉ、副走査方向が２００ｄｐｉ、または主走査方向が８ｐｅｌ／ｍｍ、副走査方向が７．７ｌｉｎｅ／ｍｍであることを通知し、さらに、ＤＣＳ信号のＦＩＦの４４ビットを「１」にし、インチ系を優先した画信号の送信を指定する。また、ＤＣＳ信号のＦＩＦの６８、６９ビットを「１」としてカラー通信を指定する。
【００２７】
Ｓ３０では、ステップＳ２０と同様の判断によって、受信機がインチ系優先の画信号の受信を望んでいれば、ステップＳ３２に進み、受信機がミリ系優先の画信号の受信を望んでいれば、ステップＳ３８に進む。
【００２８】
Ｓ３２では、ＴＳＩ／ＤＣＳ信号の送信と残りの前手順とを実行し、ここで、ＤＣＳ信号のＦＩＦの１５ビットを「０」にし、主走査方向が２００ｄｐｉ、副走査方向が１００ｄｐｉ、または主走査方向が８ｐｅｌ／ｍｍ、副走査方向が３．８５ｌｉｎｅ／ｍｍであることを通知し、さらに、ＤＣＳ信号のＦＩＦの４４ビットを「１」にし、インチ系を優先した画信号の送信を指定する。また、ＤＣＳ信号のＦＩＦの６８、６９ビットを「１」にし、カラー通信を指定する。
【００２９】
Ｓ３４では、主走査方向が２００ｄｐｉ、副走査方向が１００ｄｐｉの解像度でカラーファクシミリ画信号を送信し、Ｓ３６では、後手順を実行する。
【００３０】
Ｓ３８では、ＴＳＩ／ＤＣＳ信号の送信と残りの前手順とを実行し、ここで、ＤＣＳ信号のＦＩＦの１５ビットを「０」にし、主走査方向が２００ｄｐｉ、副走査方向が１００ｄｐｉ、または主走査方向が８ｐｅｌ／ｍｍ、副走査方向が３．８５ｌｉｎｅ／ｍｍであることを通知し、さらに、ＤＣＳ信号のＦＩＦの４４ビットを「０」にし、ミリ系を優先した画信号の送信を指定する。また、ＤＣＳ信号のＦＩＦの６８、６９ビットを「１」にし、カラー通信を指定する。
【００３１】
［第２の実施例］
第2の実施例は、第１の実施例において、相手機がミリ系をベースにした解像度で受信することを望んでいても、主走査方向が２００ｄｐｉ、副走査方向が２００ｄｐｉの解像度でカラーファクシミリ画信号を送信する場合、インチ系をベースにした解像度で通信することをプロトコルで通知し、インチ系をベースにした解像度で画信号を送信する実施例である。
【００３２】
ここで、相手機は、ＤＩＳ信号のＦＩＦの４４ビットを「０」にし、ＤＩＳ信号のＦＩＦの４５ビットを「１」にすることによって、ミリ系をベースにした解像度での受信を望んでいることを通知する。
【００３３】
図5は、本発明の第2の実施例における制御動作を示すフローチャートであり、図2〜図4に示す制御動作と異なる部分のみを示すフローチャートである。
【００３４】
Ｓ４０では、ステップＳ１８におけるＹＥＳを示し、Ｓ４２では、ステップはＳ２２におけるＮＯを示し、Ｓ４４では、ステップＳ１８におけるＮＯを示し、Ｓ４６では、ステップＳ３２を示している。
【００３５】
なお、画像通信機能を有するパソコン等の他の画像通信装置に、上記実施例を適用するようにしてもよい。
【００３６】
上記実施例によれば、インチ系をベースにした解像度でカラーファクシミリ画信号を送信するファクシミリ装置に、インチ系をベースにした解像度でカラー画信号を送信していることをプロトコルによって通知できるので、受信機側で画信号を再現する場合、有利である。
【００３７】
また、上記実施例によれば、相手受信機がミリ系をベースにした解像度で受信することを望んでいても、たとえば主走査方向が２００ｄｐｉ、副走査方向が２００ｄｐｉの解像度でカラーファクシミリ画信号を送信する場合、インチ系をベースにした解像度で通信することを通知できるので、受信機が白黒のファクシミリ受信する場合に、ミリ系をベースにした解像度で受信し、カラーのファクシミリ受信する場合に、インチ系をベースにした解像度で受信を望み、プロトコルでは、ミリ系をベースにした解像度で受信希望を相手送信機に対して通知した場合、インチ系をベースにしたカラー画信号の送信を確実に受信機に通知できる。
【００３８】
【発明の効果】
本発明によれば、たとえば、主走査方向が２００ｄｐｉ、副走査方向が２００ｄｐｉで送信している場合、受信画像の劣化が生じないという効果を奏する。
【図面の簡単な説明】
【図１】本発明の一実施例であるファクシミリ装置ＦＳ1を示すブロック図である。
【図２】上記実施例における制御動作を示すフローチャートである。
【図３】上記実施例における制御動作を示すフローチャートである。
【図４】上記実施例における制御動作を示すフローチャートである。
【図５】本発明の第2の実施例における制御動作を示すフローチャートである。
【符号の説明】
ＦＳ１…ファクシミリ装置、
１６…記録回路、
１８…メモリ回路、
２０…操作部、
２２…ＣＰＵ、
２４…ＲＯＭ。
【図１】
0004330099.tif 000002
【図２】
0004330099.tif 000003
【図３】
0004330099.tif 000004
【図４】
0004330099.tif 000005
【図５】
0004330099.tif 000006